(57)【要約】【課題】打叩用工具の打叩用頭部で杭や釘等の先端が尖った先端尖状部材を打ち叩いた際に、打叩用工具の打叩用頭部が先端尖状部材の頭部から滑り、先端尖状部材の頭部と打叩用工具の柄との間で手指を挟む事態が生じても、手指に怪我を負うのを防止する。【解決手段】打叩部２からの延びる柄部６を、当該柄部６から周方向に突出した鍔部８により作業員の一方の手で握る柄上部６ａと作業員の他方の手で握る柄下部６ｂとに分けるかたちで構成し、少なくとも柄上部６ａには、作業員の一方の手の甲及び全ての指の背側を覆う保護部材１０又は１１を柄上部６ａから着脱できないように装着し、柄上部６ａに装着された保護部材１０又は１１を柄上部６ａの軸方向に沿って変位することが可能にする。【選択図】図１
2013018059.tif 000002
【特許請求の範囲】
【請求項１】
先端が尖った先端尖状部材を手作業で打ち込み対象物に打ち込むためのもので、
前記先端尖状部材の頭部を打叩するための打叩部と、この打叩部から延びて作業員の両手で握ることが可能な柄部とで成ると共に、
前記柄部は、この柄部から周方向外側に突出した鍔部により、前記打叩部側に位置して作業員の一方の手で握る柄上部と、前記打叩部とは反対側に位置して作業員の他方の手で握る柄下部とで構成されており、
前記柄部のうち少なくとも前記柄上部には、前記作業員の一方の手を差し込むことで当該作業員の手の甲及び全ての指の背側を覆う保護部材がこの柄上部から着脱できないように装着され、この保護部材は前記柄上部の軸方向に沿って変位することが可能であることを特徴とする打叩用工具。
【請求項２】
前記柄部のうち前記柄下部にも、前記作業員の一方の手を差し込むことで当該作業員の他方の手の甲及び全ての指の背側を覆う保護部材がこの柄上部から着脱できないように装着され、この保護部材は前記柄下部に固定されていることを特徴とする請求項１に記載の打叩用工具。
【請求項３】
前記柄上部に装着される保護部材には、右手用、左手用及び両手用のものがあることを特徴とする請求項１又は２に記載の打叩用工具。
【請求項４】
前記柄下部に装着される保護部材には、前記柄上部に装着される保護部材に対応して、右手用、左手用及び両手用のものがあることを特徴とする請求項３に記載の打叩用工具。
【発明の詳細な説明】
【技術分野】
【０００１】
この発明は、手で持って振り降ろす手動作業により杭や釘等の先端が尖った先端尖状部材を打ち込み対象物に打ち込むための打叩用工具、特にこの手動作業に際して作業員の手指の安全の確保を図った打叩用工具に関する。
【背景技術】
【０００２】
杭や釘等の先端が尖った先端尖状部材を柱や地面等の打ち込み対象物に打ち込む場合に、図８（ａ）に示されるように、手で柄部１０２を持って振り降ろすことにより先端尖状部材２００の頭部２０１を打ち叩くための工具としては、特許文献１や特許文献２等に示されるハンマーや木槌、金鎚等とも称される打叩用工具１００が一般的に用いられる。この種の打叩用工具１００は、図８（ａ）にも示されるように、先端尖状部材２００の頭部２０１を打叩するための打叩部１０１と、この打叩部１０１から延びて作業員の手で握られる柄部１０２とで基本的に構成されている。
【０００３】
そして、上記ハンマー等の打叩用工具の手動作業で生ずる危険として、ハンマー等の打叩用工具の柄部を持って振り降ろす際に柄部が手から抜けることが挙げられるが、上記特許文献１及び２では、この危険を回避するために、柄部の後端部について握る指が引掛かる程度の長さだけ屈曲させることにより当該後端部に鉤の手部分を形成したり、柄部の外周部に複数の鍔状の係突条を設けて滑り止めを図ったりする構造が開示されている。
【先行技術文献】
【特許文献】
【０００４】
【特許文献１】実開平５−９８７４号公報
【特許文献２】実用新案登録第３１３２８１７号公報
【発明の概要】
【発明が解決しようとする課題】
【０００５】
しかしながら、ハンマー等の打叩用工具の手動作業で生ずる危険として、図８（ｂ）に示されるように、打叩用工具１００の打叩部１０１で先端尖状部材２００の頭部２０１を打ち叩いた際に、打叩用工具１００の打叩部１０１が先端尖状部材２００の頭部２０１から滑って、先端尖状部材２００の頭部２０１と打叩用工具１００の柄部１０２との間で手指を挟み、手の甲や指の背側が怪我をするおそれもあるのに対し、前記特許文献１、２で示されるハンマーではこのような危険を回避するための構造が示されていない。
【０００６】
そこで、本発明は、打叩用工具の打叩用頭部で杭や釘等の先端が尖った先端尖状部材を打ち叩いた際に、打叩用工具の打叩用頭部が先端尖状部材の頭部から滑り、先端尖状部材の頭部と打叩用工具の柄との間で手やその指を挟む事態が生じても、手の甲や指の背側が怪我をするのを防止した打叩用工具を提供することを目的とする。
【課題を解決するための手段】
【０００７】
この発明に係る打叩用工具は、先端が尖った先端尖状部材を手作業で打ち込み対象物に打ち込むためのもので、前記先端尖状部材の頭部を打叩するための打叩部と、この打叩部から延びて作業員の両手で握ることが可能な柄部とで成ると共に、前記柄部は、この柄部から周方向外側に突出した鍔部により、前記打叩部側に位置して作業員の一方の手で握る柄上部と、前記打叩部とは反対側に位置して作業員の他方の手で握る柄下部とで構成されており、前記柄部のうち少なくとも前記柄上部には、前記作業員の一方の手を差し込むことで当該作業員の手の甲及び全ての指の背側を覆う保護部材がこの柄上部から着脱できないように装着され、この保護部材は前記柄上部の軸方向に沿って変位することが可能であることを特徴としている（請求項１）。ここで、先端が尖った先端尖状部材には、例えば杭や釘等が挙げられる。また、打ち込み対象物には、例えば地面や木柱等が挙げられる。更に、作業員の一方の手は、いわゆる作業員の利き手であり、右手でも左手でも良い。そして、保護部材は、手の平、指の腹、及び指の腹に続く指の内側部分を覆っておらず、手の平、指の腹、及び指の腹に続く指の内側部分が柄上部に対して直接的に接するかたちで柄上部を掴むことが可能となっている。鍔部は衝撃を和らげることが可能な素材、例えばゴム等により形成されている。
【０００８】
これにより、打叩用工具の柄部を両手で持って打叩用工具の打叩部で杭等の先端尖状部材の頭部を打ち叩いた際に、打叩用工具の打叩部が先端尖状部材の頭部から滑って、先端尖状部材の頭部と打叩用工具の柄部との間で手やその指を挟んでしまっても、作業員の柄上部を握る一方の手は、保護部材により手の甲及び全ての指の背側が覆われているので、一方の手の甲や指の背側に怪我を負うという不具合が回避される。
【０００９】
そして、この発明に係る打叩用工具は、前記柄部のうち前記柄下部にも、前記作業員の一方の手を差し込むことで当該作業員の他方の手の甲及び全ての指の背側を覆う保護部材がこの柄上部から着脱できないように装着され、この保護部材は前記柄下部に固定されていることを特徴としている（請求項２）。ここで、作業員の他方の手は、作業員の一方の手（利き手）が右手であれば左手であり、作業員の一方の手（利き手）が左手であれば右手となる。
【００１０】
これにより、作業員の柄上部を握る他方の手も、保護部材により手の甲及び全ての指の背側が覆われるので、不測の事態が生じても他方の手の甲や指の背側に怪我を負うという不具合が回避される。
【００１１】
また、この発明に係る打叩用工具は、前記柄上部に装着される保護部材には、右手用、左手用及び両手用のものがあること（請求項３）及び、前記柄下部に装着される保護部材には、前記柄上部に装着される保護部材に対応して、右手用、左手用及び両手用のものがあること（請求項４）を特徴としている。
【００１２】
これにより、右利きの作業員でも左利きの作業員でも保護部材を選択するのみで打叩用工具を使用することができ、特に保護部材を両手用とすることにより、利き手が右手の作業員と左手の作業員との双方が同じ打叩用工具を使用することが可能となる。
【発明の効果】
【００１３】
以上のように、請求項１及び請求項４に記載の発明によれば、打叩用工具の柄部を両手で持って打叩用工具の打叩部で杭等の先端尖状部材の頭部を打ち叩いた際に、打叩用工具の打叩部が先端尖状部材の頭部から滑って、先端尖状部材の頭部と打叩用工具の柄部との間で手やその指を挟んでも、作業員の柄上部を握る一方の手は、保護部材により手の甲及び全ての指の背側が覆われているので、保護部材が緩衝材となり、一方の手の甲や指の背側に怪我を負うのを防止することが可能となり、打叩作業の安全性を得ることができる。しかも、本発明の打叩用工具は、既存の打叩用工具に鍔部や保護部材を取り付けるのみであるので、その製造が容易であるから、製造コストを抑制することも可能である。
【００１４】
特に、請求項２に記載の発明によれば、作業員の柄上部を握る他方の手も、保護部材により手の甲及び全ての指の背側が覆われるので、不測の事態が生じても他方の手の甲や指の背側に怪我を負うのを防止することができ、打叩作業の安全性をより高めることができる。
【００１５】
特に、請求項３、４に記載の発明によれば、右利きの作業員でも左利きの作業員でも保護部材を選択するのみで打叩用工具を使用することができる。特に保護部材を両手用とすることにより、利き手が右手の作業員と左手の作業員との双方が同じ打叩用工具を使用することが可能となるので、打叩用工具の汎用化を図ることができ、もって打叩用工具の製造コストの削減を図ることができる。
【図面の簡単な説明】
【００１６】
【図１】図１は、この発明に係る打叩用工具の第１の実施例のうちの右利き手用の構成を示す説明図である。
【図２】図２は、同上の第１の実施例のうちの右利き用の打叩用工具で保護部材に手を入れて打叩用工具の柄部を手で直接に握った状態を示す説明図であり、図２（ａ）は、この打叩用工具の柄部を握った状態の外観図、図２（ｂ）はこの打叩用工具の柄部を握った状態の断面図である。
【図３】図３は、同上の第１の実施例の右利き用の打叩用工具の柄上部を掴んだ保護部材が柄部の軸方向に動く様子を示すための説明図であり、図３（ａ）は、この打叩用工具を振り上げ且つ柄上部を掴んだ保護部材が打叩部側に寄っている状態を示し、図３（ｂ）はこの打叩用工具を振り降ろしこれに伴い柄上部を掴んだ保護部材が鍔部側に移動した状態を示している。
【図４】図４は、この発明に係る打叩用工具の第１の実施例のうちの左利き用となる構成を示す説明図である。
【図５】図５は、この発明に係る打叩用工具のうちの右利き用と左利き用との双方に対応した第２の実施例の構成を示す説明図であり、図５（ａ）は保護部材に右手を差し込んだ態様を示す全体図、図５（ｂ）は保護部材に左手を差し込んだ態様を示す部分図である。
【図６】図６は、同上の第２の実施例の打叩用工具の保護部材の構成を示す拡大図であり、図６（ａ）は保護部材の断面図、図６（ｂ）は保護部材の平面図である。
【図７】図７は、同上の第２の実施例でも打叩用工具の柄上部を掴んだ保護部材が柄部の軸方向に動くことを示すための説明図であり、図７（ａ）は、この打叩用工具を振り上げ且つ柄上部を掴んだ保護部材が打叩部側に寄っている状態を示し、図７（ｂ）はこの打叩用工具を振り降ろしこれに伴い柄上部を掴んだ保護部材が鍔部側に移動した状態を示している。
【図８】図８は、従来の打叩用工具を使用する際に生ずる危険を説明するための説明図であり、図８（ａ）は、従来の打叩用工具の構成について打叩用工具を持った作業員と先端尖状部材を持った作業員とも入れて概略的に示した全体図、図８（ｂ）は、図８（ａ）に示される作業で打叩用工具を持った作業員の手指が打叩用工具の柄部と先端尖状部材の頭部との間に挟まれた状態を概略的に示した拡大図である。
【発明を実施するための形態】
【００１７】
以下、この発明の実施形態を図面に基づいて説明する。
【実施例１】
【００１８】
図１から図４において、この発明に係る打叩用工具１の実施例１が示されている。この打叩用工具１は、杭や釘等の先端が尖った先端尖状部材（公知のものであるため図示せず。）を地面や柱等の打ち込み対象に打ち込むためのものであり、ハンマーや木槌や金鎚等がその範疇に含まれるものである。
【００１９】
打叩用工具１は、特に図１及び図４に示されるように、先端尖状部材の頭部を打ち叩くための打叩部２と、この打叩部２から延びた柄部６とで基本的に構成されている。
【００２０】
打叩部２は、例えば鉄や木等から成る相対的に重量があるもので、両側又は一方側に平坦な打叩面３を有する円柱状若しくは多角柱状をなしている。そして、打叩部２は、例えば柄部６を差し込むための貫通孔４を、この貫通孔４が打叩部２の軸方向と交差する方向に開口するかたちで有している。
【００２１】
柄部６は、この実施例では長手方向の一方端において打叩部２の貫通孔４内に圧入されることで打叩部２と柄部６とを固定する固定部７を有している。また、柄部６は、作業員が握り易い外径寸法及び外形状を有する相対的に長尺な棒体、例えば円柱体の構成となっている。
【００２２】
そして、この柄部６は、特に図１及び図４に示されるように、この柄部６の長手方向の略中央部において鍔部８を有している。この鍔部８は、柄部６の径方向に沿って突出した肉厚の薄い円盤状のもので、鍔部８の直径寸法は作業員の握り拳と略同じか作業員の握り拳よりも大きなものとなっている。このような鍔部８を有することで、柄部６は、鍔部８よりも打叩部２側の柄上部６ａと、鍔部８に対して打叩部２側とは反対側の柄下部６ｂとに分かれている。鍔部８は、衝撃を和らげる素材、例えばゴム等により形成されており、これにより柄上部６ａに装着された下記する保護部材１０、１１が鍔部８側に移動して鍔部８に衝突してもその衝撃を和らげることが可能になっている。
【００２３】
更に、柄上部６ａと柄下部６ｂとには、それぞれ保護部材１０、１１が柄上部６ａ、柄下部６ｂから取り外し不能の状態にて装着されている。保護部材１０は右手を差し込むことができ、保護部材１１は左手を差し込むことができるもので、保護部材１０を柄上部６ａに装着し、保護部材１１を柄下部６ｂに装着した場合には、図１に示されるように、打叩用工具１は利き手が右手の作業員用のものとなり、保護部材１１を柄上部６ａに装着し、保護部材１０を柄下部６ｂに装着した場合には、図４に示されるように、打叩用工具１は利き手が左手の作業員用のものとなる。
【００２４】
保護部材１０、１１は、外皮状部材１２で基本的に手首から先部分を覆ったグローブ状のものであり、この外皮状部材１２は、図１、図２及び図４に示されるように、それぞれ親指が差し込まれる第１の部分１２ａと、親指以外の４つの指（人指し指、中指、薬指、小指）が差し込まれ、これに伴い第１の部分１２ａよりも大きな第２の部分１２ｂとを有している。そして、第１の部分１２ａの指先側の先端と第２の部分１２ｂの指先側の先端とが分離不能に連接されることにより、保護部材１０、１１は、図２（ａ）に示されるように、中心に柄部６が収まる大きさの径寸法の内周を備えた環状を構成している。これにより、保護部材１０、１１が打叩用工具１の柄部６から柄部６の径方向に抜けるおそれをなくしている。
【００２５】
そして、保護部材１０、１１は、図２（ｂ）に示されるように、環状の内周側部分について、外皮状部材１２が存在せず、打叩用工具１の柄部６を握った際に、手の平、並びに各指の腹及びこの指の腹から指の付け根まで続く指の内側部分が外皮状部材１２を介さず直接に柄部６に接する構成となっている。これにより、保護部材１０に右手を差し込み、保護部材１１に左手を差し込んでも、素手で打叩用工具１の柄部６を掴むのと同様に、手の平、並びに各指の腹及びこの指の腹から指の付け根まで続く指の内側部分で打叩用工具１の柄部６を掴むので、打叩用工具１の柄部６を確実且つ強固に把持することが可能である。
【００２６】
更に、保護部材１０、１１は、図２（ｂ）に示されるように、指の特に第２関節近傍の背側と外皮状部材１２との間にクッション部材１３が介在されていても良い。これにより、図８（ｂ）のケースと同様に、打叩用工具１の打叩部２で先端尖状部材の頭部を打ち叩いた際に、打叩用工具１の打叩部２が先端尖状部材の頭部から滑って、先端尖状部材の頭部と打叩用工具１の柄部６との間で手指を挟んでも、クッション部材１３により第２の部分１２ｂ内に収められた４本の指は防護される。
【００２７】
更にまた、保護部材１０、１１は、打叩用工具１の柄部６のうちの柄上部６ａに装着される側が、柄上部６ａの打叩部２に近接した側から鍔部８までの範囲で柄上部６ａの軸方向に沿って移動可能となっていると共に、打叩用工具１の柄部６のうちの柄下部６ｂに装着される側が、柄下部６ｂに不動の状態にて固定されている。そして、柄上部６ａに装着される保護部材１０、１１は、打叩部２と鍔部８とがあるので、柄部６の軸方向に抜けるのが防止されている。
【００２８】
これにより、図３に示されるように、保護部材１０を柄上部６ａに装着し、保護部材１１を柄下部６ｂに装着した、利き手が右手用の打叩用工具１でもって説明すると、打叩用工具１を図３（ａ）に示されるように振り上げた時には、柄上部６ａに装着された保護部材１０は打叩部２側に寄っているのに対し、打叩用工具１を図３（ａ）の状態から図３（ｂ）の状態に白抜き矢印の方向に振り降ろす過程で、柄上部６ａに装着された保護部材１０は同じく図３（ｂ）の矢印に示されるように鍔部８側に移動していく。よって、作業員は、保護部材１０、１１に両手を差し込んだ状態でも、打叩用工具１をスムーズに且つ目標に対して的確に振り降ろすことができる。
【００２９】
尚、これまでの実施例１において、打叩用工具１は保護部材１０、１１を有するとして説明してきたいが必ずしもこれに限定されず、柄上部６ａに保護部材１０、１１のいずれかのみが装着されたものであっても良い。
【実施例２】
【００３０】
図５から図７において、この発明に係る打叩用工具１の実施例２が示されている。この打叩用工具１も、実施例１と同様に、杭や釘等の先端が尖った先端尖状部材を地面や柱等の打ち込み対象に打ち込むためのものであり、ハンマーや木槌や金鎚等がその範疇に含まれるものである。
【００３１】
以下、この実施例２に係る打叩用工具１について説明する。但し、打叩部２のみならず柄部６の構成、すなわち、柄部６が鍔部８により柄上部６ａと柄下部６ｂとに分かれている点についても実施例１と同様であるので、同一の符号を付してその説明を原則として省略し、異なる構成の保護部材１５を中心に説明する。
【００３２】
保護部材１５は、右手のみが差し込み可能な保護部材１０や左手のみが差し込み可能な保護部材１１とは異なり、図５（ａ）及び（ｂ）に示されるように、右手と左手との双方が差し込み可能なものとなっている。
【００３３】
すなわち、この保護部材１５は、図６に示されるように、打叩用工具１の柄上部６ａが挿通可能な通孔１６を有する板状の上壁部１７、下壁部１８と、上壁部１７と下壁部１８との間を連接する板状の防壁部１９とで一体的に構成されている。
【００３４】
また、上壁部１７及び下壁部１８は、図６（ｂ）に示されるように、例えば直線状の縁辺Ｆ１とこの縁辺Ｆ１の両端と接続する弧状の縁辺Ｆ２とで囲まれたもので、通孔１６の中心Ｒを通る直線Ｌを基準線として対象となる形状、例えば略台形又は半円形状をなしており、内部空間Ｓを備えている。
【００３５】
更に、縁辺Ｆ２と通孔１６の円周縁との最短の寸法でも、大人の手が打叩用工具１の柄上部６ａを図６（ａ）に示されるように握った場合に、指の背側が防壁部１９の内面に当たらないようになっている。
【００３６】
よって、保護部材１５に対し、図６（ｂ）の図上の上側から右手を内部空間Ｓ内に差し込むことで、柄上部６ａを右手の指と手の平で握ることができ、図６（ｂ）の図上の下側から左手を内部空間Ｓ内に差し込むことで、柄上部６ａを左手の指と手の平で握ることができる。
【００３７】
そして、保護部材１５は、図６（ａ）に示されるように、指の特に第２関節近傍の背側と防壁部１９との間にクッション部材１３が介在されていても良い。これにより、図８（ｂ）のケースと同様に、打叩用工具１の打叩部２で先端尖状部材の頭部を打ち叩いた際に、打叩用工具１の打叩部２が先端尖状部材の頭部から滑って、先端尖状部材の頭部と打叩用工具１の柄部６との間で手指を挟んでも、クッション部材１３により保護部材１５の防壁部１９内に収められた４本の指は防護される。
【００３８】
更にまた、保護部材１５は、柄上部６ａの打叩部２に近接した側から鍔部８までの範囲で柄上部６ａの軸方向に沿って移動可能となっている。
【００３９】
これにより、図７に示されるように、打叩用工具１を図７（ａ）に示されるように振り上げた時には、柄上部６ａに装着された保護部材１５は打叩部２側に寄っているのに対し、打叩用工具１を図７（ａ）の状態から図７（ｂ）の状態に白抜き矢印の方向に振り降ろす過程で、柄上部６ａに装着された保護部材１５は同じく図７（ｂ）の矢印に示されるように鍔部８側に移動していく。よって、作業員は、保護部材１５に右手と左手のうちいずれか差し込んだ状態でも、打叩用工具１をスムーズに且つ目標に対して的確に振り降ろすことができる。
【００４０】
尚、これまでの実施例２において、打叩用工具１は柄上部６ａにのみ保護部材１５を装着した構成として説明してきたいが必ずしもこれに限定されず、柄下部６ｂにも保護部材１５を装着した構成としても良い。但し、この場合には、柄下部６ｂに装着される保護部材１５は、柄下部６ｂに不動の状態にて固定されているのが望ましい。
【符号の説明】
【００４１】
１  打叩用工具
２  打叩部
６  柄部
６ａ  柄上部
６ｂ  柄下部
８  鍔部
１０  保護部材
１１  保護部材
１３  クッション部材
１５  保護部材
１６  通孔
１７  上壁部
１８  下壁部
１９  防壁部
【図１】
2013018059.tif 000003
【図２】
2013018059.tif 000004
【図３】
2013018059.tif 000005
【図４】
2013018059.tif 000006
【図５】
2013018059.tif 000007
【図６】
2013018059.tif 000008
【図７】
2013018059.tif 000009
【図８】
2013018059.tif 000010